(57)【要約】【課題】急発進及び急停止を伴う運動に好適に使用される運動靴の提供。【解決手段】本発明に係る運動靴１は、ソール３とアッパー５とを備え、このソール３は、ソール３の後半部９において上層１１と下層１３とからなる。この下層１３が上層１１及びソール３の前半部７の少なくともいずれかと接合されている。運動靴１の前後方向に荷重が負荷されると、この下層１３がスライドしてソールの前半部７との間にずれを生じ、この荷重が除去されるとずれが復元する構造を備えている。接合部１５はソール３よりも低弾性の弾性体からなる。この接合部１５は、６００Ｎの引張荷重を加えたときの変位量が１ｍｍ以上３０ｍｍ以下であることがより好ましい。この運動靴１は、急発進しやすさと急停止したときの緩衝機能とを合わせ備えている。【選択図】  図１
2005040281.tif 000002
【特許請求の範囲】
【請求項１】
ソールとアッパーとを備え、
このソールは、ソールの後半部が上層と下層とからなり、この下層が上層及びソールの前半部の少なくともいずれかと接合され、靴の前後方向に荷重が負荷されると、この下層とソールの前半部との間にずれが生じ、この荷重が除去されるとずれが復元する構造を備えている運動靴。
【請求項２】
上記下層が下層の材質より低弾性の接合部を介してソールの前半部と接合されている請求項１に記載の運動靴。
【請求項３】
上記接合部の、６００Ｎ引張荷重を加えたときの変位量が１ｍｍ以上３０ｍｍ以下である請求項２に記載の運動靴。
【請求項４】
上記上層が、上記下層及びソールの前半部よりも低弾性の材質からなる請求項１に記載の運動靴。
【請求項５】
上記上層と下層とは、この両層間で上下方向には離間されることなく、靴の前後方向には互いにずれることができる構造を備えている請求項１又は２に記載の運動靴。
【請求項６】
上記構造が、上層又は下層のいずれか一方に基部より頂部が大きい突条を備え、この他方に、この突条を納める溝を備えるスライダー・スライドベース構造である請求項５に記載の運動靴。
【発明の詳細な説明】
【０００１】
【発明の属する技術分野】
本発明は、主にテニス、アメリカンフットボール、ラグビー、ジョギング等の運動に使用される運動靴に関するものである。
【０００２】
【従来の技術】
テニス等、球技用の運動では、急発進及び急停止が繰り返される。急発進や急停止は、人体に大きな衝撃を与える。そのため、この種の運動に使用される運動靴には、衝撃吸収性能が要求される。運動靴は、そのため柔軟な構造が用いられている。その構造は、主として柔軟な材料を用いたり、ソールの厚さを厚くする等からなる。その一方で、この運動靴は、急発進しやすいことが必要である。しかし、衝撃吸収性能を高めた運動靴は、柔軟性が高いため、急発進性能において劣る傾向がある。
【０００３】
特開２０００−２３６９０９号公報には、底部の後端から前側に向かって切り込み部が形成された運動靴が記載されている。急発進のときは、地面を蹴る力が主として運動靴の爪先側にかかる。急停止の衝撃力は、主として踵側で受ける。この運動靴では、急停止したときに上記の切り込み部が横ずれを生じさせられる。この横ずれにより緩衝時間が延長されて衝撃が緩和される。また、この運動靴は、地面の種類等の影響を受けにくく横方向の衝撃を吸収できるとされている。この運動靴では発進性能はよいが、なお急停止時の緩衝機能において改善の余地がある。
【０００４】
【特許文献１】
特開２０００−２２９０９号公報
【０００５】
【発明が解決しようとする課題】
横方向への移動が多いテニスプレーにおいても、直進移動が多いことが最近分かってきた。すなわち、プレーヤーは、横方向に移動する場合にも、体幹全体を進行方向に向けて直進運動していることが多い。したがって、横移動が多いといわれている球技用の運動靴においても、直進の衝撃力を緩衝することが重要である。本発明は、このような現状に鑑みてなされたものであり、急発進及び急停止を伴う運動に好適に使用される運動靴の提供を目的としている。
【０００６】
【課題を解決するための手段】
本発明に係る運動靴は、ソールとアッパーとを備え、このソールは、ソールの後半部が上層と下層とからなる。この下層が上層及びソールの前半部の少なくともいずれかと接合されている。靴の前後方向に荷重が負荷されると、この下層とソールの前半部との間にずれ（変位）が生じ、この荷重が除去されるとずれが復元する構造を備えている。この運動靴は、上記の構造を備えているため、急発進しやすさと急停止したときの緩衝機能を合わせ備えている。
【０００７】
この運動靴では、上記下層が下層よりも低弾性の接合部を介してソールの前半部と接合されていることが好ましい。この運動靴は運動の衝撃緩和効果が大きい。
【０００８】
この運動靴の上記接合部は、６００Ｎの引張荷重を加えたときの変位量が１ｍｍ以上３０ｍｍ以下であることがより好ましい。この運動靴は、緩衝効果が高く、履き心地がよい。
【０００９】
また、上記上層が、上記の下層及びソールの前半部よりも弾性の低い材質からなることも好ましい。この運動靴は、急発進に違和感がなく、急停止時の緩衝性がよい。
【００１０】
さらに、上記上層と下層とは、この両層間で上下方向には離間されることなく、靴の前後方向には互いにずれることができる構造を備えていることが好ましい。この運動靴は、急発進と急停止を伴う運動のプレー性能に優れている。
【００１１】
さらに、上記構造が、上層又は下層のいずれか一方に基部より頂部が大きい突条を備え、この他方に、この突条を納める溝を備えるスライダー・スライドベース構造であることが好ましい。この運動靴は、急発進と急停止を伴う運動のプレー性能により優れている。
【００１２】
【発明の実施の形態】
以下、適宜図面が参照されつつ好ましい実施形態に基づいて、本発明が詳細に説明される。
【００１３】
図１は、本発明の一実施形態に係る運動靴１が示された断面図である。図２は、図１のＩＩ−ＩＩ線に沿った断面図である。図３は、図１のＩＩＩ−ＩＩＩ線に沿った断面図である。この運動靴１は、ソール３とアッパー５とを備えている。ソール３は、爪先部を含むソールの前半部７と踵部を含むソールの後半部９を備えている。図１の左右方向が靴の前後方向である。アッパー５の材質、形状、寸法等は、既知の靴のアッパーと同等である。また運動靴１は、ミッドソールを備えてもよい。ミッドソールの材質、形状、寸法等は、既知の靴のものと同等である。インソールを取り付けることも可能である。
【００１４】
ソール３には、天然ゴム、イソプレンゴム、ブタジエンゴム、スチレン−ブタジエンゴム、ウレタンゴム、アクリロニトリル−ブタジエンゴム、熱可塑性樹脂とゴムの複合エラストマー等が好適に用いられる。これらの２種以上が併用されてもよい。また、ゴム以外の樹脂等のポリマーは、目的又は用途に応じて適宜基材ゴムに添加されて用いられる。ソール３の硬度は、ショアＡ硬度で４０以上８５以下であることが好ましい。硬度が４０未満では、着用者の歩行にふらつき感を生じる。硬度が９０を超えると着用者の足に突き上げ感を生じる。より好ましくは、硬度は５０以上８０以下である。６０以上７５以下の硬度がさらに好ましい。
【００１５】
運動靴１では、ソール３の後半部９が上層１１と下層１３とからなる。この下層１３は、ソール３の土踏まずから踵の後端まで達している。上層１１と下層１３とが靴の前後方向にアッパーに対して略平行な面で区分されている。この面には、靴の前後方向に延在しておれば接地面に対して小さな角度で交わるような傾斜があってもよい。この面は、ずれに対する抵抗の大きさの観点から靴の前後方向には直線的、かつ平滑であることが好ましい。
【００１６】
この下層１３は、接合部１５を介してソール３の前半部７と接合されている。接合部１５は弾性体からなる。この弾性体は、下層１３の材質よりも低弾性の材質からなる。この接合部１５には、運動中の着地時又は停止時に下層１３により引張荷重が加えられる。この荷重で接合部１５が伸ばされることにより、下層１３と前半部７との間にずれが生じる。この荷重が除去されると接合部１５のずれが復元される。この運動靴１は、厚いソールが用いられることなく十分な緩衝効果を備えている。また、この運動靴１は、急発進もしやすい。
【００１７】
この接合部１５は、繰り返し疲労及び経時変化に対する耐久性が高いことが好ましい。また、この材質は、緩衝効率の観点から、ある程度の振動減衰性を備えているものが好ましい。振動減衰性の付与は、ポリマー組成物の選択等公知の手段が用いられる。
【００１８】
このポリマーには、上記ソール３に使用される基材ゴムが用いられ得る。この場合は、配合剤の種類や量をソール３とは異ならせたゴム組成物が使用される。より好ましい接合部１５用の基材としては、アクリロニトリル−ブタジエンゴム、ブタジエンゴム、エチレン−プロピレン−ジエンゴム、エチレン酢酸ビニル共重合体及びポリウレタンが例示される。この接合部１５による下層１３とソール前半部７との接合には、接着剤の使用、結合部材の使用、ポリマー架橋等、公知の方法が選択できる。この接合部１５の弾性率の調節には、ポリマーの種類又は架橋剤、充填剤、軟化剤、発泡剤等の種類や量の選択、架橋条件の選択等、公知の手段が用いられる。
【００１９】
この運動靴１の下層１３は、上層１１との間の粘着性や摩擦力により、運動中に靴の前後方向には、ずれることができるが上下には離れにくい。しかし、実際の衝撃は、あらゆる方向から種々の速度や強さで加えられる。特に踵後方で下層１３が上層１１と離間しない構造を採ることが好ましい。例えば、上層１１と下層１３の対向する位置で引き合う磁石の埋設、粘着剤の使用等も可能である。
【００２０】
より好ましくは、後半部９がスライダー・スライドベース構造を備えている。図２には、この構造の例の断面図が示されている。この構造は、突条１７と溝１９とが靴の前後方向に平行に延在している。スライダーの突条１７は、頂部Ａが基部Ｂより大きく形成されている。スライドベースの溝１９は、この突条１７に納められる相似形に形成されている。スライダー・スライドベース構造において、上層が溝を備え下層が突条を備えてもよい。
【００２１】
この構造では、下層１３が靴の前後方向に平行にスライドする。しかし、この前後方向と交わる方向には下層１３の移動が制限される。すなわち、下層１３は、上層１１に沿ってスライドすることができる。この運動靴１は、あらゆる運動の場面で違和感がなく、急停止したときの緩衝効果が高い。この運動靴１は、急発進と急停止を伴う運動のプレー性能に優れている。
【００２２】
図３には、接合部１５の断面図が示されている。この接合部１５の物性は、６００Ｎの引張荷重が加えられたときに変位量が１ｍｍ以上３０ｍｍ以下であることが好ましい。この引張荷重は、運動においてかかる靴の前後方向の荷重に基づいている。変位量が１ｍｍ未満では、緩衝効果が十分でない。また、３０ｍｍ以上では、運動中の履き心地に違和感を生じる場合がある。この変位量が２ｍｍ以上１０ｍｍ以下であることがより好ましい。この変位量の範囲では、運動靴１と地面との間で滑りが生じても、運動者が全くこれを感じない。緩衝効果は、この無感滑りの範囲でも大きいことが知られている。この運動靴１は緩衝効果が大きい上に履き心地もよい。
【００２３】
図４は、本発明のさらに他の実施形態に係る運動靴２３の一部が示された断面図である。この運動靴２３は、図１の運動靴１と同様、アッパー２５とソール２７とからなる。ソール２７の後半部２９は、上層３１と下層３３とからなる。上層３１はソール２７の前半部３５と一体に形成されている。この下層３３と前半部３５とは、接合部３９で接合されている。この接合部３９は、引張荷重に対して下層３３よりも伸びが大きいバネ３７を含む。上層３１と下層３３とは、上述の図２と同様のずれることができる構造を備えることが好ましい。
【００２４】
バネ３７は、これが配置されるスペース節約の観点から、小型の高弾性バネが少数用いられることが好ましい。バネ３７は、コイルバネ、板バネ、竹の子バネ等が好適に用いられる。バネ３７の材質は、バネ鋼、硬鋼線、ピアノ線、オイルテンパ線、ステンレス線等が弾性率の観点から好ましく用いられる。バネは、前半部３５と下層３３とに埋め込まれたリブに係止される等により、一本又は複数本が使用される。バネ３７の弾性率は、上記バネの種類及び本数等により調節される。このバネ３７による接合部分３９は、バネ３７に異物が噛み込まれること等を防止するため、ポリマー等の被覆材４１で覆われる方が好ましい。運動中に、後半部２９に引張荷重が加えられると、バネ３７がその弾性により伸びて下層３３にずれが生じる。このずれにより衝撃時間が延長されて緩衝される。この運動靴２３も発進と緩衝とに好適である。
【００２５】
図５は、本発明のさらに他の実施形態に係る運動靴４３の一部が示された断面図である。この運動靴４３は、アッパー４５とソール４７とを備え、ソール４７の後半部４９は、上層５１と下層５３とからなる。この上層５１は、下層５３よりも低弾性の材質からなる。この上層５１には、上述の接合部１５に使用されるポリマーが使用できる。下層５３は、接合部５７及び上層５１と一体に接合されている。この上層５１と接合部５７とは同じ材質であり、上層５１の一部が接合部５７を兼ねている。
【００２６】
なお、下層５３が、この接合部５７で前半部５５と接合されておれば、下層５３はこの上層５１と必ずしも接合されていなくてもよい。下層５３が上層５１と接合されておれば、必ずしも接合部５７で前半部５５と接合されていなくてもよい。この運動靴４３では、急停止等のときに低弾性の上層５１又は接合部５７が伸びて下層５３と前半部５５との間にずれが生じる。これにより、緩衝時間が延長される。この運動靴４３は、急発進と急停止を伴う運動に好適である。
【００２７】
図６は、本発明のさらに他の実施形態に係る運動靴５９の一部が示された断面図である。この運動靴５９は、アッパー６１とソール６３とを備えている。ソール６３は、前半部６５と後半部６７とからなり、切り込み６９により分離されている。この後半部６７は、上層７１と下層７３とからなる。この上層７１は、下層７３よりも低弾性の材質からなる。この上層７１にも、上述の接合部１５に使用されるポリマーが使用できる。この下層７３は、上層７１と一体に接合されている。この上層７１は、前半部６５と接合されてもよい。また、上層７１は、単層でなくてもよい。例えば、上層７１が二層からなり、アッパー６１に隣接する側は、前半部６５と同じ材質で、下層７３に隣接する側は低弾性の材質から形成されてもよい。この運動靴５９は、急発進や急停止を伴うプレー性能に優れている。
【００２８】
【実施例】
以下、実施例にもとづいて本発明の効果が明らかにされるが、この記載により本発明が限定的に解釈されるべきではない。
【００２９】
［実施例１］
ソールをスチレン−ブタジエン共重合体を基材とするゴム組成物を用いて成形した。ソールの前半部（厚さ１０ｍｍ）とソールの後半部の上層基部（厚さ４ｍｍ）とが一体にされたソール部材を成形した。別途成形した断面略台形状の突条（高さ３ｍｍ、基部５０ｍｍ、頂部６０ｍｍ、長さ１２０ｍｍ）を上層基部の所定位置に接着した。この突条と相似形の溝を備えたソールの下層（厚さ６ｍｍ）を上記ゴム組成物で成形して準備した。この溝に離型処理を施して上記上層の突条に差し込み、ソールの後半部の下層用とした。この下層とソール前半部との間に設けた２０ｍｍ幅の接合部にエチレン酢酸ビニル共重合体の発泡性組成物を充填して加硫接着して実施例１のソールを得た。なお、上記発泡性組成物は、横９０ｍｍ、縦２０ｍｍ、厚み１０ｍｍの架橋された試料を用いて６００Ｎの引張荷重をかけたときに１ｍｍの伸びが得られるように予め配合を調整されたものを用いた。このソールに、エチレン酢酸ビニル共重合体からなるミッドソールと、綿からなるアッパーを取り付けて、図１に記載した実施例１の運動靴を得た。
【００３０】
［実施例２、実施例３及び比較例３］
接合部用のエチレン酢酸ビニル共重合体組成物に、この架橋成形体に６００Ｎの引張荷重をかけたときに表１に示されている変位量が得られるように調整されたものが用いられた他は実施例１と同様にして、実施例２、実施例３及び比較例３の運動靴を得た。
【００３１】
［比較例１］
市販のテニスシューズを入手した。
【００３２】
［比較例２］
ソール後半部において、溝と突条の組み合わせに離型処理せず、また上記接合部に上記接合部用の組成物を用いる代わりに、ソール用ゴム組成物を充填してソールを得た他は、実施例１と同様にして比較例２の運動靴を得た。
【００３３】
【表１】
2005040281.tif 000003
【００３４】
表１において、各評価方法はつぎのとおりである。
（ａ）軽快感：５人の被験者の着用感及びデザイン外観により、良いを５点とし、悪いを１点として、それぞれの靴を５段階官能評価させた。
（ｂ）着地緩衝性能：５人の被験者によるジョギングにより、良いを５点とし、悪いを１点として、それぞれの靴を５段階官能評価させた。
（ｃ）発進時ずれの違和感：上記同様に、被験者に良いを５点、悪いを１点として、それぞれの靴を５段階官能評価させた。
【００３５】
表１において、比較例の靴は、ソール厚さによる軽快感、着地時緩衝性能及び発進時ずれの違和感のいずれかに難があり、履き心地が悪い。これに対して、実施例の運動靴は、運動による衝撃緩衝性がよく、発進時のずれによる違和感もない。実施例の運動靴は、履き心地もよく、これらの評価結果より、本発明の優位性が確認された。
【００３６】
【発明の効果】
以上の評価結果から明らかなように、本発明の靴は、急発進において違和感なく、急停止時の緩衝性能に優れている。したがって、球技等の運動靴に好適である。この靴は、ソールの厚みが厚くされることなく履き心地がよいため、デザイン上の自由度も高くなる。
【図面の簡単な説明】
【図１】図１は、本発明の一実施形態に係る運動靴が示された断面図である。
【図２】図２は、図１のＩＩ−ＩＩ線に沿った断面図である。
【図３】図３は、図１のＩＩＩ−ＩＩＩに沿った断面図である。
【図４】図４は、本発明の他の実施形態に係る運動靴の一部が示された断面図である。
【図５】図５は、本発明のさらに他の実施形態に係る運動靴の一部が示された断面図である。
【図６】図６は、本発明のさらに他の実施形態に係る運動靴の一部が示された断面図である。
【符号の説明】
１、２１、２３、４３、５９・・・運動靴
３、２７、４７、６３・・・ソール
５、２５、４５、６１・・・アッパー
７、３５、５５、６５・・・ソールの前半部
９、２９、４９、６７・・・ソールの後半部
１１、３１、５１、７１・・・上層
１３、３３、５３、７３・・・下層
１５、３９、５７・・・接合部
１７・・・突条
１９・・・溝
３７・・・バネ
【図１】
2005040281.tif 000004
【図２】
2005040281.tif 000005
【図３】
2005040281.tif 000006
【図４】
2005040281.tif 000007
【図５】
2005040281.tif 000008
【図６】
2005040281.tif 000009